(57)【特許請求の範囲】
【請求項１】
無線基地局と接続されるユーザ端末と、ネットワークを介してそれぞれが接続されている複数のＵプレーン制御装置と、Ｃプレーン制御装置と、コアネットワークを含むデータ転送システムであって、
前記ユーザ端末が前記無線基地局、一の前記Ｕプレーン制御装置、前記Ｃプレーン制御装置および前記コアネットワークを使用して通信を開始した後の通信中に一定時間パケットデータがやり取りされなく、前記ユーザ端末が通信中の状態であるＣｅｌｌ＿ＤＣＨ状態からページングのみを待ち受けている状態であるＣＥＬＬ＿ＰＣＨ状態へと遷移して、前記ユーザ端末と前記無線基地局との間および前記無線基地局と前記一のＵプレーン制御装置との間のＵプレーンリンクが解放され、かつ、Ｕプレーン制御装置と前記コアネットワークとの間のＵプレーンリンクは前記ユーザ端末が前記Ｃｅｌｌ＿ＤＣＨ状態から前記ＣＥＬＬ＿ＰＣＨ状態に遷移したときに使用していた前記一のＵプレーン制御装置に対して張られ続けている場合に、
前記一のＵプレーン制御装置は、所定の時点での回線トラヒック状態、装置内リソース使用状態、および障害状態のうちの少なくとも１つを監視し、前記Ｃプレーン制御装置に対して報告を行う状態報告手段を備え、
前記Ｃプレーン制御装置は、前記一のＵプレーン制御装置の前記状態報告手段から状態情報を受信する状態情報受信手段と、
前記状態情報受信手段によって受信された前記状態情報に基づいて、前記ユーザ端末に対してサービスを提供するのに最適なＵプレーンリンクを選択するＵプレーンリンク選択手段と、
前記コアネットワークに対して、Ｕプレーンリンクを新たな前記Ｕプレーン制御装置に対して張り替える旨の要求をするＵプレーンリンク張替要求手段を備え、
前記コアネットワークは、Ｕプレーンリンクを前記新たなＵプレーン制御装置に対して張り替えるＵプレーンリンク張替手段を備えることを特徴とするデータ転送システム。
【請求項２】
前記一のＵプレーン制御装置の前記状態報告手段は、前記Ｃプレーン制御装置からの報告要求に基づいて、回線トラヒック状態、装置内リソース使用状態、および障害状態のうちの少なくとも１つを監視し、前記Ｃプレーン制御装置に対して報告を行うことを特徴とする請求項１記載のデータ転送システム。
【請求項３】
前記ユーザ端末は、前記ＣＥＬＬ＿ＰＣＨ状態で無線基地局を移動した場合に、前記Ｃプレーン制御装置に対してＣｅｌｌを移動した旨を通知するＣｅｌｌ移動通知手段を備え、
前記Ｃプレーン制御装置は、前記ユーザ端末の前記Ｃｅｌｌ移動通知手段によって通知された情報を受け取るＣｅｌｌ移動通知受取手段を備え、
前記Ｕプレーンリンク張替要求手段は、前記Ｃｅｌｌ移動通知受取手段によって受け取られた前記情報に基づいて、移動先の前記無線基地局がいかなる前記Ｕプレーン制御装置の配下であるかを確認して、前記コアネットワークに対して、Ｕプレーンリンクを新たな前記Ｕプレーン制御装置に対して張り替える旨の要求をすることを特徴とする請求項１または２記載のデータ転送システム。
【請求項４】
無線基地局と接続されるユーザ端末と、ネットワークを介してそれぞれが接続されている複数のＵプレーン制御装置と、Ｃプレーン制御装置と、コアネットワークを利用したデータ転送方法であって、
前記ユーザ端末が前記無線基地局、一の前記Ｕプレーン制御装置、前記Ｃプレーン制御装置および前記コアネットワークを使用して通信を開始した後の通信中に一定時間パケットデータがやり取りされなく、前記ユーザ端末が通信中の状態であるＣｅｌｌ＿ＤＣＨ状態からページングのみを待ち受けている状態であるＣＥＬＬ＿ＰＣＨ状態へと遷移して、前記ユーザ端末と前記無線基地局との間および前記無線基地局と前記一のＵプレーン制御装置との間のＵプレーンリンクが解放され、かつ、Ｕプレーン制御装置と前記コアネットワークとの間のＵプレーンリンクは前記ユーザ端末が前記Ｃｅｌｌ＿ＤＣＨ状態から前記ＣＥＬＬ＿ＰＣＨ状態に遷移したときに使用していた前記一のＵプレーン制御装置に対して張られ続けている場合に、
前記一のＵプレーン制御装置が、状態報告手段によって所定の時点での回線トラヒック状態、装置内リソース使用状態、および障害状態のうちの少なくとも１つを監視し、前記Ｃプレーン制御装置に対して報告を行うステップを有し、
前記Ｃプレーン制御装置が、状態情報受信手段によって前記一のＵプレーン制御装置の前記状態報告手段から状態情報を受信するステップと、
Ｕプレーンリンク選択手段によって前記状態情報受信手段で受信された前記状態情報に基づいて、前記ユーザ端末に対してサービスを提供するのに最適なＵプレーンリンクを選択するステップと、
Ｕプレーンリンク張替要求手段によって前記コアネットワークに対して、Ｕプレーンリンクを新たな前記Ｕプレーン制御装置に対して張り替える旨の要求をするステップを有し、
前記コアネットワークが、Ｕプレーンリンク張替手段によってＵプレーンリンクを前記新たなＵプレーン制御装置に対して張り替えるステップを有することを特徴とするデータ転送方法。
【請求項５】
前記一のＵプレーン制御装置が報告を行うステップにおいて、前記Ｃプレーン制御装置からの報告要求に基づいて、回線トラヒック状態、装置内リソース使用状態、および障害状態のうちの少なくとも１つを監視し、前記Ｃプレーン制御装置に対して報告を行うことを特徴とする請求項４記載のデータ転送方法。
【請求項６】
前記ユーザ端末が、Ｃｅｌｌ移動通知手段によって前記ＣＥＬＬ＿ＰＣＨ状態で無線基地局を移動した場合に、前記Ｃプレーン制御装置に対してＣｅｌｌを移動した旨を通知するステップを有し、
前記Ｃプレーン制御装置が、Ｃｅｌｌ移動通知受取手段によって前記ユーザ端末の前記Ｃｅｌｌ移動通知手段で通知された情報を受け取るステップを有し、
前記張り替える旨の要求をするステップにおいて、Ｕプレーンリンク張替要求手段は、前記Ｃｅｌｌ移動通知受取手段によって受け取られた前記情報に基づいて、移動先の前記無線基地局がいかなる前記Ｕプレーン制御装置の配下であるかを確認して、前記コアネットワークに対して、Ｕプレーンリンクを新たな前記Ｕプレーン制御装置に対して張り替える旨の要求をすることを特徴とする請求項４または５記載のデータ転送方法。
【発明の詳細な説明】
【技術分野】
【０００１】
本発明は、Ｃプレーン制御装置とＵプレーン制御装置が分離されておりＣプレーン制御装置が最適な伝送路を選択するデータ転送システムおよびその方法に関する。
【背景技術】
【０００２】
ＵＴＲＡＮ（Universal Terrestrial Radio Access Network）は、携帯電話等のユーザ装置であるＵＥ（User Equipment）と交換網等のコアネットワークであるＣＮ（Core Network）の中間に位置して、それぞれのインターフェースの相互接続を実現するノードである。ＲＮＣは、無線基地局（ＢＴＳ）とＲＮＣ間のインターフェースであるＩｕｂインターフェースを介して複数の無線基地局を収容し、制御情報のやりとりを実行する制御チャネル（ＣＣＨ）およびユーザデータを伝達するトラヒックチャネル（ＴＣＨ）に関する多様な処理を行うが、そのうち、ユーザ間で共有されるものを共通チャネルといい、ユーザ個別に割当てられるものを個別チャネルという。
【０００３】
近時、３ＧＰＰ（3rd Generation Partnership Projects）標準化において無線基地局制御装置であるＲＮＣ（Radio Network Controller）のＡＬＬ＿ＩＰ化に関する議論が盛んに行われており、今後はＵプレーンの使用率の増加が予想されることから、ＣプレーンとＵプレーンを分離したＲＮＣに関して考慮する必要がある。ＡＬＬ＿ＩＰ化、Ｃ／Ｕ（Ｃプレーン／Ｕプレーン）分離を実現したＲＮＣにおいて、既存のシステムで実現している動作を保証するとともに、Ｃ／Ｕ分離時に考えられる、一台のＣプレーン制御装置で複数のＵプレーン制御装置を管理するという新たな問題に対する有効なリソース使用方式は、３ＧＰＰ標準化で明確になっていない。
【０００４】
なお、Ｃプレーンとは、Ｃｏｎｔｏｒｏｌ  Ｐｌａｎｅを意味しており、装置間でやり取りする制御メッセージのデータが通るリンクのことをいい、また、Ｕプレーンとは、Ｕｓｅｒ  ｄａｔａ  Ｐｌａｎｅを意味しており、実際にユーザがやり取りする様々なコンテンツデータが通るリンクのことをいう。
【０００５】
また、従来、ＣプレーンとＵプレーンを管理する機能は同一装置内で実現していたため、これらのデータが流れるリンクも同一のルートを通っていたが、このＣプレーンとＵプレーンを管理する装置を分離することで、様々なスケーラビリティに対応したネットワーク構成を実現すべく、ＣプレーンとＵプレーンの制御装置を分離する概念をプレーンの分離ないしはＣ／Ｕ分離という。
【０００６】
ここで、ユーザデータを扱うＵプレーン制御装置が輻輳状態になったときには、処理の一部を他のバックアップ用Ｕプレーン制御装置に引き継いで処理を継続することによって、ユーザデータの増大が予想される場合であっても、ユーザデータを扱うネットワーク内での処理を容易に分散し、システム全体のダウンを防止することができる技術が提案されている（例えば、特許文献１参照）。
【特許文献１】特開２００４−４８２０９号公報
【発明の開示】
【発明が解決しようとする課題】
【０００７】
しかしながら、上述した従来例においては次のような問題点があった。
【０００８】
無線基地局とＵプレーン制御装置は、必ず１対１の関係で結び付けられておりＵプレーン制御装置のレイヤ２における処理の負荷分散は可能であっても、サービスエリア内でのユーザデータトラヒックの増減等に応じて複数のＵプレーン制御装置のうちから最適な伝送路を実現するものを選択することができないという問題点があった。
【０００９】
そこで、本発明は、１台のＣプレーン制御装置に対して複数台のＵプレーン制御装置を接続することによって、Ｕプレーン制御装置の増減を行うことで低コストかつ状況に応じたネットワーク構成を実現することができるデータ転送システムおよびその方法を提供することを目的とする。
【課題を解決するための手段】
【００１０】
本発明のデータ転送システムは、無線基地局と接続されるユーザ端末と、ネットワークを介してそれぞれが接続されている複数のＵプレーン制御装置と、Ｃプレーン制御装置と、コアネットワークを含むデータ転送システムであって、ユーザ端末が無線基地局、一のＵプレーン制御装置、Ｃプレーン制御装置およびコアネットワークを使用して通信を開始した後の通信中に一定時間パケットデータがやり取りされなく、ユーザ端末が通信中の状態であるＣｅｌｌ＿ＤＣＨ状態からページングのみを待ち受けている状態であるＣＥＬＬ＿ＰＣＨ状態へと遷移して、ユーザ端末と無線基地局との間および無線基地局と一のＵプレーン制御装置との間のＵプレーンリンクが解放され、かつ、Ｕプレーン制御装置とコアネットワークとの間のＵプレーンリンクはユーザ端末がＣｅｌｌ＿ＤＣＨ状態からＣＥＬＬ＿ＰＣＨ状態に遷移したときに使用していた一のＵプレーン制御装置に対して張られ続けている場合に、一のＵプレーン制御装置は、所定の時点での回線トラヒック状態、装置内リソース使用状態、および障害状態のうちの少なくとも１つを監視し、Ｃプレーン制御装置に対して報告を行う状態報告手段を備え、
Ｃプレーン制御装置は、Ｕプレーン制御装置の状態報告手段から状態情報を受信する状態情報受信手段と、状態情報受信手段によって受信された状態情報に基づいて、ユーザ端末に対してサービスを提供するのに最適なＵプレーンリンクを選択するＵプレーンリンク選択手段と、コアネットワークに対して、Ｕプレーンリンクを新たなＵプレーン制御装置に対して張り替える旨の要求をするＵプレーンリンク張替要求手段を備え、コアネットワークは、Ｕプレーンリンクを新たなＵプレーン制御装置に対して張り替えるＵプレーンリンク張替手段を備える。
【００１１】
また、一のＵプレーン制御装置の状態報告手段は、Ｃプレーン制御装置からの報告要求に基づいて、回線トラヒック状態、装置内リソース使用状態、および障害状態のうちの少なくとも１つを監視し、Ｃプレーン制御装置に対して報告を行ってもよい。
【００１２】
また、ユーザ端末は、ＣＥＬＬ＿ＰＣＨ状態で無線基地局を移動した場合に、Ｃプレーン制御装置に対してＣｅｌｌを移動した旨を通知するＣｅｌｌ移動通知手段を備え、Ｃプレーン制御装置は、ユーザ端末のＣｅｌｌ移動通知手段によって通知された情報を受け取るＣｅｌｌ移動通知受取手段を備え、Ｕプレーンリンク張替要求手段は、Ｃｅｌｌ移動通知受取手段によって受け取られた情報に基づいて、移動先の無線基地局がいかなるＵプレーン制御装置の配下であるかを確認して、コアネットワークに対して、Ｕプレーンリンクを新たなＵプレーン制御装置に対して張り替える旨の要求をしてもよい。
【００１３】
本発明のデータ転送方法は、無線基地局と接続されるユーザ端末と、ネットワークを介してそれぞれが接続されている複数のＵプレーン制御装置と、Ｃプレーン制御装置と、コアネットワークを利用したデータ転送方法であって、ユーザ端末が無線基地局、一のＵプレーン制御装置、Ｃプレーン制御装置およびコアネットワークを使用して通信を開始した後の通信中に一定時間パケットデータがやり取りされなく、ユーザ端末が通信中の状態であるＣｅｌｌ＿ＤＣＨ状態からページングのみを待ち受けている状態であるＣＥＬＬ＿ＰＣＨ状態へと遷移して、ユーザ端末と無線基地局との間および無線基地局と一のＵプレーン制御装置との間のＵプレーンリンクが解放され、かつ、Ｕプレーン制御装置とコアネットワークとの間のＵプレーンリンクはユーザ端末がＣｅｌｌ＿ＤＣＨ状態からＣＥＬＬ＿ＰＣＨ状態に遷移したときに使用していた一のＵプレーン制御装置に対して張られ続けている場合に、一のＵプレーン制御装置は、状態報告手段によって所定の時点での回線トラヒック状態、装置内リソース使用状態、および障害状態のうちの少なくとも１つを監視し、Ｃプレーン制御装置に対して報告を行うステップを有し、Ｃプレーン制御装置が、状態情報受信手段によって一のＵプレーン制御装置の状態報告手段から状態情報を受信するステップと、Ｕプレーンリンク選択手段によって状態情報受信手段で受信された状態情報に基づいて、ユーザ端末に対してサービスを提供するのに最適なＵプレーンリンクを選択するステップと、Ｕプレーンリンク張替要求手段によってコアネットワークに対して、Ｕプレーンリンクを新たなＵプレーン制御装置に対して張り替える旨の要求をするステップを有し、コアネットワークが、Ｕプレーンリンク張替手段によってＵプレーンリンクを新たなＵプレーン制御装置に対して張り替えるステップを有する。
【００１４】
また、一のＵプレーン制御装置が報告を行うステップにおいて、Ｃプレーン制御装置からの報告要求に基づいて、回線トラヒック状態、装置内リソース使用状態、および障害状態のうちの少なくとも１つを監視し、Ｃプレーン制御装置に対して報告を行ってもよい。
【００１５】
また、ユーザ端末が、Ｃｅｌｌ移動通知手段によってＣＥＬＬ＿ＰＣＨ状態で無線基地局を移動した場合に、Ｃプレーン制御装置に対してＣｅｌｌを移動した旨を通知するステップを有し、Ｃプレーン制御装置が、Ｃｅｌｌ移動通知受取手段によってユーザ端末のＣｅｌｌ移動通知手段で通知された情報を受け取るステップを有し、張り替える旨の要求をするステップにおいて、Ｕプレーンリンク張替要求手段は、Ｃｅｌｌ移動通知受取手段によって受け取られた情報に基づいて、移動先の無線基地局がいかなるＵプレーン制御装置の配下であるかを確認して、コアネットワークに対して、Ｕプレーンリンクを新たなＵプレーン制御装置に対して張り替える旨の要求をしてもよい。
【発明の効果】
【００１６】
本発明のデータ転送システムおよびその方法によれば、１台のＣプレーン制御装置に対して複数台のＵプレーン制御装置を接続することによって、Ｕプレーン制御装置の増減を行うことで低コストかつ状況に応じたネットワーク構成を実現することができる。
【発明を実施するための最良の形態】
【００１７】
次に、本発明の一実施の形態の構成について図面を参照して説明する。
【００１８】
図１を参照すると、本実施形態におけるデータ転送システムは、無線基地局１、２と、Ｕプレーン制御装置１１、１２と、Ｃプレーン制御装置２０と、コアネットワーク３０と、ＵＥ（ユーザ端末）４０から構成されている。
【００１９】
Ｕプレーン制御装置１１、１２と、Ｃプレーン制御装置２０と、コアネットワーク３０はネットワーク１００を介してそれぞれ接続されている。
【００２０】
Ｕプレーン制御装置１１およびＵプレーン制御装置１２は、Ｃプレーン制御装置２０に帰属している。また、無線基地局１は、Ｕプレーン制御装置１１に帰属し、無線基地局２は、Ｕプレーン制御装置１２に帰属している。
【００２１】
図１に示すように、ＵＥ４０は、無線基地局１とＵプレーン制御装置１１を使用して、ＰＳ（Packet Service）呼通信状態であり、このときＵプレーンリンクは、Ｕプレーン制御装置１１と無線基地局１を経由してＵＥ４０と送受信を行っている。
【００２２】
図２を参照すると、Ｕプレーン制御装置１１、１２は、プログラム、データ等を保持するメモリ２０２と、回線トラヒック状態、装置内リソース使用状態、障害状態等を監視して帰属するＣプレーン制御装置２０に対して報告を行う機能を有している状態報告部２０４と、それらの各部の制御を行う制御部２０１と、バス２０３を備えている。
【００２３】
図３を参照すると、Ｃプレーン制御装置２０は、プログラム、データ等を保持するメモリ３０２と、各Ｕプレーン制御装置から状態報告を受ける機能を有している状態情報受信部３０４と、最適なＵプレーンリンクを選択する機能を有しているＵプレーンリンク選択部３０５と、ＵＥからＣｅｌｌの移動通知を受け取る機能を有しているＣｅｌｌ移動通知受取部３０６と、Ｕプレーン制御装置の張り替え要求を行う機能を有しているＵプレーンリンク張替要求部３０７と、それらの各部の制御を行う制御部３０１と、バス３０３を備えている。
【００２４】
次に、図１、図４〜図７を参照して、本実施形態におけるＵプレーンリンクの張替処理のフローを詳細に説明する。
【００２５】
まず、図１および図６を参照すると、３ＧＰＰ標準化の規定では、ＰＳ呼通信中に一定時間パケットデータがやり取りされなければ、無線リソースの有効活用およびＵＥ４０の送信電力を抑制する目的でＣｅｌｌ＿ＤＣＨ状態からＣＥＬＬ＿ＰＣＨ状態に遷移することが許されているため、ＣＥＬＬ＿ＰＣＨ状態では無線区間の個別ＣＨリソースである、ＵＥ４０から無線基地局１間および無線基地局１からＵプレーン制御装置１１間のＵプレーンリンクが解放される（Ｓ６０１）。
【００２６】
ここで、Ｃｅｌｌ＿ＤＣＨ状態とは、ユーザ端末が通信中の状態であることを示しており、この時にはＵプレーンのリンクは張られた状態である。また、ＣＥＬＬ＿ＰＣＨ状態とは、ユーザ端末がページングのみを待ち受けている状態を示しており、この時にはＵプレーンのリンクは張られていない状態である。
【００２７】
このように、ＣＥＬＬ＿ＰＣＨ状態状態時にはネットワーク側からみると端末が一時休止している状態になるため、無駄なリソースの確保や無線リソースの節約が図られる。
【００２８】
以上を踏まえ、ユーザが通信を開始した後、一定時間Ｕプレーンの導通がない場合にＣｅｌｌ＿ＤＣＨ状態からＣＥＬＬ＿ＰＣＨ状態へ端末を遷移させることでリソースの有効活用を図ることができる。
【００２９】
ただし、Ｕプレーン制御装置１１からコアネットワーク３０間のＵプレーンリンクに関しては、いつ下りのパケットデータがＲＮＣ側に送られてくるのかＲＮＣ側では意識できないので、そのＵプレーンリンクはＵＥ４０がＣｅｌｌ＿ＤＣＨ状態からＣＥＬＬ＿ＰＣＨ状態に遷移したときに使用していたＵプレーン制御装置１１に対して張られ続ける（Ｓ６０２）。
【００３０】
図４は、図１のＵＥ４０がＣＥＬＬ＿ＰＣＨ状態に遷移後の状態を踏まえて、ＣＥＬＬ＿ＰＣＨ状態にあるＵＥ４０が無線基地局１の配下から移動はしていないが、ネットワーク側主導でＵプレーン制御装置１１からコアネットワーク３０間のＵプレーンリンクを、Ｕプレーン制御装置１２に張り替える処理について説明する図である。
【００３１】
図４および図６を参照すると、各Ｕプレーン制御装置の状態報告部２０４は、現時点での回線トラヒック状態、装置内リソース使用状態、障害状態等を監視し、定期的に帰属しているＣプレーン制御装置２０に対して報告を行う（Ｓ６０３）。ここで、報告は、Ｃプレーン制御装置２０からの報告要求に基づいてそのタイミングでなされてもよい。
【００３２】
Ｃプレーン制御装置２０のＵプレーンリンク選択部３０５は、状態情報受信部３０４が各Ｕプレーン制御装置から受けた状態報告に基づいてＵＥ４０に対してサービスを提供するのに最適なＵプレーンリンクを選択する（Ｓ６０４）。
【００３３】
Ｃプレーン制御装置２０が、ＵＥ４０がＣＥＬＬ＿ＰＣＨ状態に遷移する直前まで使用していた、すなわち、現在使用中のＵプレーン制御装置１１からコアネットワーク３０間のＵプレーンリンクが最適であると判断した場合には、コアネットワーク３０側に対して特に要求は行わない。一方、Ｕプレーン制御装置１２を使用することが適切であると判断した場合には、コアネットワーク３０側に対して、新たに定義するメッセージを用いてＵプレーンリンクをＵプレーン制御装置１１からＵプレーン制御装置１２に対して張り替える旨の要求を行う（Ｓ６０５）。
【００３４】
なお、「新たに定義するメッセージ」とは、Ｕプレーン制御装置１２のトラヒック状態をＣプレーン制御装置２０で管理し、トラヒック状態によって異なるＵプレーン制御装置へデータを流すようにコアネットワーク３０に要求するために使用する新メッセージをいう。
既存システムではＣ／Ｕ分離を想定していないので、「新たに定義する」こととしたものである。
【００３５】
Ｃプレーン制御装置２０からの要求を受け付けたコアネットワーク３０は、ＵプレーンリンクをＵプレーン制御装置１２に張り替える（Ｓ６０６）。なお、Ｕプレーンリンクを張替える時には、すでに呼の接続情報はＲＮＣ側であるコアネットワーク３０側でネゴシエーションは済んでいるため、新たにＵプレーン制御装置１２からコアネットワーク３０間のＣプレーン設定を行う必要はなく、パケットデータの送信方向となるＵプレーンリンクの変更のみを行う。
【００３６】
上りまたは下りのパケットデータが発生した場合には、個別ＣＨの無線リンクリソースは、Ｕプレーン制御装置１２を介して再設定される（Ｓ６０７）。
【００３７】
図５は、図１のＵＥ４０がＣＥＬＬ＿ＰＣＨ状態に遷移後の状態を踏まえて、ＣＥＬＬ＿ＰＣＨ状態にあるＵＥ４０が無線基地局１の配下から無線基地局２の配下に移動した場合に、ＵＥ４０からＲＮＣ側であるＣプレーン制御装置２０に対して送信される、「Ｃｅｌｌ  Ｕｐｄａｔｅ」メッセージをトリガとして、ＵプレーンリンクをＵプレーン制御装置１１からＵプレーン制御装置１２に張り替える処理について説明する図である。
【００３８】
図５および図７を参照すると、ＵＥ４０は、ＣＥＬＬ＿ＰＣＨ状態で無線基地局１から無線基地局２に移動した場合には、３ＧＰＰ標準化の規定上、Ｃプレーン制御装置２０に対してＣｅｌｌを移動した旨を通知する（Ｓ７０１）。
【００３９】
Ｃプレーン制御装置２０は、Ｃｅｌｌ移動通知受取部３０６によってＵＥ４０からＣｅｌｌの移動通知を受け取って、移動先の無線基地局２がどのＵプレーン制御装置の配下であるかを確認して、ＵＥ４０がＣＥＬＬ＿ＰＣＨ状態に遷移したときに接続していたＵプレーン制御装置１１と異なるＵプレーン制御装置であるか否かを判断し、異なる場合には、Ｕプレーンリンク張替要求部３０７によって、コアネットワーク３０側に対して、ＵプレーンリンクをＵプレーン制御装置１１からＵプレーン制御装置１２に張り替える旨の要求を行う（Ｓ７０２）。
【００４０】
コアネットワーク３０側では、Ｃプレーン制御装置２０からＵプレーンリンクを張り替える旨の要求を受け付け、ＵプレーンリンクをＵプレーン制御装置１１からＵプレーン制御装置１２に張り替える（Ｓ７０３）。
【００４１】
上りまたは下りのパケットデータが発生した場合には、個別ＣＨの無線リンクリソースは、Ｕプレーン制御装置１２を介して再設定される（Ｓ７０４）。
【００４２】
上記の実施形態によれば、新たにＣプレーン制御装置２０からコアネットワーク３０間でインターフェースを定義することによって、既存のＵＥ４０および各無線基地局に変更を加えることなく、既存のＵＥ４０が行っている位置情報通知機能によってＵプレーンリンクのみを適切なＵプレーン制御装置に張り替えて、Ｕプレーンデータの送信経路を単純化することができる。また、Ｃ／Ｕ分離を実施したネットワーク構成で、Ｕプレーン制御装置からの状態報告に基づいてトラヒック管理および経路管理を実施することができる。
【００４３】
したがって、既存システムの、ＵＥ４０がＣｅｌｌ＿ＤＣＨ状態からＣＥＬＬ＿ＰＣＨ状態に遷移した場合に、ＲＮＣからコアネットワーク３０間のＵプレーンリンクはそのままであり、ＵＥ４０が異なるＲＮＣ配下のＣｅｌｌに移動したときもＵプレーンリンクの張り替えは行われなく、そのため、ＵＥ４０がＣＥＬＬ＿ＰＣＨ状態で異なるＣｅｌｌに移動して、再度Ｃｅｌｌ＿ＤＣＨ状態に戻って通信する場合には、一度ＵプレーンデータをＵＥ４０がＣＥＬＬ＿ＰＣＨ状態になったときのＲＮＣに送り、現在、ＵＥ４０が在圏するＲＮＣに対して転送する必要があり、再接続時間およびネットワーク内での経路管理に問題が発生する点、また、現在、３ＧＰＰ標準化で規定されているＲＮＣからコアネットワーク３０間のインターフェースおよび仕様の範囲内でＵプレーンリンクの張り替えを行う場合には、Ｕプレーンリンクのみを張り替えることを考慮していないため、再度、Ｃプレーンの設定からやり直す必要があるという点を改善することができる。
【００４４】
なお、上述する実施の形態は、本発明の好適な実施の形態であり、本発明の要旨を逸脱しない範囲内において種々変更実施が可能である。例えば、一のＵプレーン制御装置の一部の機構がＣプレーン制御装置としての機能を有していてもよい。さらに、上記各実施形態における処理動作の全部または一部を情報処理装置により実行させるためのプログラムも本発明に属する。
【図面の簡単な説明】
【００４５】
【図１】本発明の実施形態におけるデータ転送システムの概略構成を示す図である。
【図２】Ｕプレーン制御装置の構成を示す図である。
【図３】Ｃプレーン制御装置の構成を示す図である。
【図４】Ｕプレーンリンクが張り替えられたデータ転送システムの概略構成を示す図である。
【図５】Ｕプレーンリンクが張り替えられたデータ転送システムの概略構成を示す図である。
【図６】Ｕプレーンリンクの張り替え処理の動作を示すフローチャートである。
【図７】Ｕプレーンリンクの張り替え処理の動作を示すフローチャートである。
【符号の説明】
【００４６】
１、２    無線基地局
１１、１２    Ｕプレーン制御装置
２０    Ｃプレーン制御装置
３０    コアネットワーク
４０    ＵＥ（ユーザ端末）
１００    ネットワーク
【図１】
0004609125.tif 000002
【図２】
0004609125.tif 000003
【図３】
0004609125.tif 000004
【図４】
0004609125.tif 000005
【図５】
0004609125.tif 000006
【図６】
0004609125.tif 000007
【図７】
0004609125.tif 000008